(57)【特許請求の範囲】
【請求項１】
筐体内に搭載された複数の電気機器に電源を供給するためのコンセントユニットを備えた電気機器収納用箱であって、
コンセントユニットはその内部が複数系統に分割され、
前記分割された系統ごとに、複数のコンセントタップで構成されるコンセントタップ群を有し、
該コンセントタップ群を、筐体の開放方向に向けて、各コンセントタップ群ごとに分割して配置したことを特徴とする電気機器収納用箱。
【請求項２】
コンセントユニットは、各系統のコンセントタップ群が接続される銅バーを、筐体の開放方向に並列配置したことを特徴とする請求項１記載の電気機器収納用箱。
【請求項３】
筐体の内側両側に一対のマウントレールを有し、コンセントユニットをマウントレールと筐体側板との間に配置したことを特徴とする請求項１または請求項２記載の電気機器収納用箱。
【請求項４】
コンセントユニットをマウントレールと一体に形成したことを特徴とする請求項３記載の電気機器収納用箱。
【請求項５】
筐体を縦フレーム、横フレーム、奥行フレームを備えたフレーム構造とし、コンセントユニットを上下の取付金具により奥行フレームに固定したことを特徴とする請求項１または請求項２記載の電気機器収納用箱。
【発明の詳細な説明】
【技術分野】
【０００１】
本発明は、筐体内に収納される複数の電気機器に電源を供給するためのコンセントユニットを備えた電気機器収納用箱に関するものである。
【背景技術】
【０００２】
電気機器収納用箱の筐体内に収納される複数の電気機器に電源を供給するための機器として、例えば、特許文献１には、複数のコンセントを有する端子台付きコンセントバーが開示されている。
【０００３】
電気機器収納用箱には複数の電気機器が収納されるため、従来は、左右何れかの縦フレームにコンセントバーを取り付けていた。この場合、左右何れかの縦フレームに向けてプラグが差し込まれるようにコンセントが配置されるため、コンセントバーから配線された電線が左右の縦フレームから筐体中心方向に垂れ下がって、他の作業の邪魔になるという問題や、他の作業時に引っかけてプラグが抜けてしまうという問題があった。
【０００４】
また、従来のコンセントバーは、単一の系統にのみ対応するものであって、例えば、電気機器収納用箱内に１００Ｖ対応の機器と２００Ｖ対応の機器の双方を収納する場合や、あるいはアースの要・不要などによって複数の系統が存在する場合には、系統毎にそれぞれ別個のコンセントバーを使用しなければならず、不便であるという問題があった。
【先行技術文献】
【特許文献】
【０００５】
【特許文献１】特開２００４−２９６２２３号公報
【発明の概要】
【発明が解決しようとする課題】
【０００６】
本発明の目的は前記の問題点を解決し、配線作業性に優れ、かつ、複数の電圧系統にも対応可能なコンセントユニットを備えた電気機器収納用箱を提供することである。
【課題を解決するための手段】
【０００７】
上記の課題を解決するためになされた本発明の電気機器収納用箱は、筐体内に搭載された複数の電気機器に電源を供給するためのコンセントユニットを備えた電気機器収納用箱であって、コンセントユニットはその内部が複数系統に分割され、前記分割された系統ごとに、複数のコンセントタップで構成されるコンセントタップ群を有し、該コンセントタップ群を、筐体の開放方向に向けて、各コンセントタップ群ごとに分割して配置したことを特徴とするものである。
【０００８】
請求項２記載の発明は、請求項１記載の電気機器収納用箱において、コンセントユニットは、各系統のコンセントタップ群が接続される銅バーを、筐体の開放方向に並列配置したものであることを特徴とするものである。
【０００９】
請求項３記載の発明は、請求項１または請求項２記載の電気機器収納用箱において、筐体の内側両側に一対のマウントレールを有し、コンセントユニットをマウントレールと筐体側板との間に配置したことを特徴とするものである。
【００１０】
請求項４記載の発明は、請求項３記載の電気機器収納用箱において、コンセントユニットをマウントレールと一体に形成したことを特徴とするものである。
【００１１】
請求項５記載の発明は、請求項１または請求項２記載の電気機器収納用箱において、筐体を縦フレーム、横フレーム、奥行フレームを備えたフレーム構造とし、コンセントユニットを上下の取付金具により奥行フレームに固定したことを特徴とするものである。
【発明の効果】
【００１２】
本発明に係るコンセントユニットは、筐体内に搭載された複数の電気機器に電源を供給するためのコンセントユニットを備えた電気機器収納用箱において、コンセントユニットはその内部を複数系統に分割する構成により、複数の電圧系統にも対応可能として電気機器収納用箱に収納する製品構成の自由度が増すとともに、前記分割された系統ごとに、複数のコンセントタップで構成されるコンセントタップ群を有し、該コンセントタップ群を、筐体の開放方向に向けて、各コンセントタップ群ごとに分割して配置する構成とすることにより、コンセントユニットと電気機器との間の電線をラック側面に沿って配線できるので、配線作業性が向上し、作業時に誤ってコンセントを抜いてしまう等の事故も効果的に回避することができる。
【００１３】
請求項４記載の発明によれば、コンセントユニットをマウントレールと一体に形成することにより、部品点数を削減することができる。
【００１４】
請求項５記載の発明によれば、筐体を縦フレーム、横フレーム、奥行フレームを備えたフレーム構造とし、コンセントユニットを上下の取付金具により奥行フレームに固定することにより、コンセントユニットが前後に移動自在となり、客先での配線が容易になる等、作業性のさらなる向上を図ることができる。
【図面の簡単な説明】
【００１５】
【図１】電気機器収納用箱の全体斜視図である。
【図２】図１から前後の扉、側板、天井板、底板を除いた全体斜視図である。
【図３】他の実施形態の水平断面図である。
【図４】コンセントユニットの全体斜視図である。
【図５】コンセントユニットの内部構造説明図である。
【発明を実施するための形態】
【００１６】
以下に本発明の好ましい実施形態を示す。
本実施形態の電気機器収納用箱は、図１に示すように、前面扉部２を備えた筐体１の内部の左内側面に、コンセントユニット３を配置したものである。
【００１７】
本実施形態の電気機器収納用箱の筐体１は、図２に示すように、縦フレーム４、横フレーム５、奥行きフレーム６を組み合わせたフレーム枠によって構成された骨格を備え、該フレーム枠に扉部２、側板７、天井板８、底板９を取り付けた構成を有するものである。しかし本発明の筐体１はこのような構造に限定されるものではなく、フレーム枠を有しないモノコック式の筐体であってもよい。図示されていないが、筐体１の内部には従来と同様に複数の電気機器（電気機器ユニット）が搭載される。
【００１８】
本実施形態では、図２に示すように、複数の機器取付孔が形成された奥行きフレーム６にコンセントユニット３を取り付けている。しかし図３に示すように、筺体内部の左右の両内側面に機器取付用のマウントレール１０を配置し、該マウントレール１０と側板７の間にコンセントユニット３を配置してもよい。また、マウントレール１０と縦フレーム４との間にコンセントユニット３を配置してもよい。このように、コンセントユニット３は左右の両内側面に機器取付用のマウントレール１０外側に設置することが望ましい。
【００１９】
コンセントユニット３は、図４に示すように長方形の平板状構造を有し、板厚に対応する寸法（幅）はごく狭く、その高さは筐体１の内部高さにほぼ等しい。コンセントユニット３の内部は複数の電気系統に分割されている。そして各分割された系統ごとにコンセントタップ群を板厚に対応する狭幅の面に備えている。
【００２０】
このような平板状のコンセントユニット３は、筐体１の側板７や縦フレーム４に沿って配置され、複数のコンセントタップ１１からなる各系統のコンセントタップ群を、筐体１の開放方向に向けて配置している。これにより、コンセントタップ群に差込まれたプラグから延びるコードが扉部２に向かうことになるので作業の邪魔にならず、また作業時に誤ってコンセントを抜いてしまう事故を効果的に回避することができる。
【００２１】
コンセントユニット３の上端付近には、入力用の電線が差し込みされる端子台１２が設置されている。この入力用の端子台１２は電気系統ごとに設けることが好ましいが、系統の種類によっては系統間で共用することもできる。
【００２２】
コンセントユニット３はその上下の両端部にＬ字状の取付金具１３を備え、筐体１の奥行きフレーム６に取り付け可能に形成している。奥行きフレーム６には複数の機器取付孔が形成されているため、コンセントユニット３の取付け位置を自由に前後方向に移動させることができる。なお、コンセントユニット３はマウントレール１０に一体化して構成するものであっても良い。この場合にはマウントレール１０への取付具なども削減することができる。
【００２３】
本実施形態では、コンセントユニット３の内部には、図５に示すように各系統のコンセントタップ群が接続される銅バー１４を、筐体１の開放方向に並列配置している。本実施形態では銅バー１４を使用しているが、系統ごとに端子台もしくはブレーカを用いることもできる。
【００２４】
奥行き方向に並べて配置した銅バー１４は、複数の系統ごとに設けられており、コンセントタップ１１と銅バー１４はそれぞれ電線などで接続されている。ここで、複数の系統としては、接地極付コンセント、１００Ｖ用コンセント、２００Ｖ用コンセントなどがあり、それぞれの系統に合わせた銅バー１４が配置されている。なお、本実施形態においては４ブロックに分けているものであるが、特に４ブロックに限定するものでなく、目的の系統が多い場合はブロック数を複数にしたり、系統種類が少ない場合はブロック数を少なくするなどできる。
【００２５】
また、必要とするコンセントタップ１１の数が多い場合には複数のブロックを使用し、前面側に配置しているコンセントタップ１１も目的のコンセントタップに変更することも可能である。このように各系統を銅バー１４から配線するので任意の口数に設定でき、製品構成の自由度が増すものである。
【符号の説明】
【００２６】
１  筐体
２  扉部
３  コンセントユニット
４  縦フレーム
５  横フレーム
６  奥行きフレーム
７  側板
８  天井板
９  底板
１０  マウントレール
１１  コンセントタップ
１２  端子台
１３  Ｌ字状の取付金具
１４  銅バー
【図１】
0005562213.tif 000002
【図２】
0005562213.tif 000003
【図３】
0005562213.tif 000004
【図４】
0005562213.tif 000005
【図５】
0005562213.tif 000006